(57)【要約】  【課題】カラー原稿をモノクロファクスする場合、ユーザが画質を優先するか、通信費を優先するかを容易に選択することができる画像通信装置を提供する。  【解決手段】カラースキャナのＦＢＳに原稿をセットし、スタートキーを押下すると、カラースキャナがプレスキャンを行い（ステップ４０４）、画像データがカラー画像か否かが判定される（ステップ４０５）。原稿の画像がカラー画像であると判定された場合には、送信モード設定画面が表示される（ステップ４０６）ので、ユーザは画像データを文字モードで２値化するか中間調モードで２値化するかを選択することができる。そして、カラー画像を中間調モードで送信する場合には、原稿のカラー本スキャンが行われる（ステップ４１１）。  【選択図】図８
2005347909.tif 000002
【特許請求の範囲】
【請求項１】
カラースキャン機能を備えた画像読取手段と、モノクロファクス機能を備えたファクス送信手段と、送信画像を二値化する二値化手段と、操作指示画面等を表示する表示手段と、上記各部を制御する制御手段とを備え、カラー原稿をファクス送信する場合、上記制御手段が上記表示手段にカラー画像に対する二値化方法を選択するための送信モード選択画面を表示し、上記送信モード選択画面で選択された二値化方法により上記二値化手段が上記画像読取手段により読み取った画像データを二値化することを特徴とする画像通信装置。
【請求項２】
請求項１に記載の画像通信装置において、上記画像読取手段により読み取った画像から送信原稿がカラー原稿であるか否かを頁単位で判定する判定手段を備え、上記制御手段が、上記判定手段がカラー原稿であると判定した頁について、上記表示手段に上記送信モード選択画面を表示することを特徴とする画像通信装置。
【請求項３】
請求項１に記載の画像通信装置において、ファクス送信時、上記制御手段が画像読取前のカラー指定を条件として上記表示手段に上記送信モード選択画面を表示し、上記制御手段が、画像読取前に指定されたカラー指定有無と、画像読取前に選択された二値化方法とに基づいて、読取開始指示入力後の画像読取方式及び二値化方法を制御することを特徴とする画像通信装置。
【請求項４】
請求項３に記載の画像通信装置において、上記制御手段が、読取開始指示入力後に上記表示手段に上記送信モード選択画面を表示することを特徴とする画像通信装置。
【請求項５】
請求項１に記載の画像通信装置において、上記画像読取手段が本スキャン前にプレスキャンを行い、上記プレスキャンによってカラー原稿か否かを判定し、カラー原稿であると判定された場合、上記制御手段が上記表示手段に上記送信モード選択画面を表示することを特徴とする画像通信装置。
【発明の詳細な説明】
【技術分野】
【０００１】
本発明は、画像通信装置、特に、カラー原稿を読み取ることが可能なカラースキャナとモノクロＦＡＸ送信機能を備えた画像通信装置に関する。
【背景技術】
【０００２】
最近、パーソナルコンピュータやカラープリンタの普及により、カラー印刷されたカラー原稿が多くなってきており、カラー原稿を読み取ることが可能なカラースキャナを備えたファクシミリ装置も出てきている。
このようなカラースキャナを備えたモノクロファクスにおいて、カラー原稿をモノクロ二値化した場合、グレーの階調が多く占めるため、画像データを文字モードで処理すると、明確な画像を伝送することができない。
【０００３】
一方、中間調モードで画像データを処理すると、画質は向上するが、この中間調モードは、擬似中間調処理（誤差拡散やディザ法）により多値データから二値データに変換するものであり、濃度をドットの集合体の数により表現するため、イメージデータは複雑となり圧縮すると、文字モード（単純二値化）にくらべ、二値化後のデータ量が増えるので、通信時間が著しく長くなり、通信費がかかる。
【発明の開示】
【発明が解決しようとする課題】
【０００４】
上記のように、カラー原稿を文字モードでファクス送信すると、明確な画像を送信できず、中間調モードでファクス送信すると、通信費がかかるという問題があるが、従来は、いずれかのモードが予め装置に設定されており、ユーザが原稿毎にモードを選択することができなかった。
【０００５】
本発明は、上記の問題に鑑みてなされたもので、カラー原稿をモノクロファクスする場合、ユーザが画質を優先するか、通信費を優先するかを容易に選択することができる画像通信装置を提供することを目的とする。
【課題を解決するための手段】
【０００６】
上述の目的を達成するため、請求項１に係る発明の画像通信装置は、カラースキャン機能を備えた画像読取手段と、モノクロファクス機能を備えたファクス送信手段と、送信画像を二値化する二値化手段と、操作指示画面等を表示する表示手段と、上記各部を制御する制御手段とを備え、カラー原稿をファクス送信する場合、上記制御手段が上記表示手段にカラー画像に対する二値化方法を選択するための送信モード選択画面を表示し、上記送信モード選択画面で選択された二値化方法により上記二値化手段が上記画像読取手段により読み取った画像データを二値化することを特徴とする。
【０００７】
また、請求項２に係る発明は、請求項１に記載の画像通信装置において、上記画像読取手段により読み取った画像から送信原稿がカラー原稿であるか否かを頁単位で判定する判定手段を備え、上記制御手段が、上記判定手段がカラー原稿であると判定した頁について、上記表示手段に上記送信モード選択画面を表示することを特徴とする。
【０００８】
さらに、請求項３に係る発明は、請求項１に記載の画像通信装置において、ファクス送信時、上記制御手段が画像読取前のカラー指定を条件として上記表示手段に上記送信モード選択画面を表示し、上記制御手段が、画像読取前に指定されたカラー指定有無と、画像読取前に選択された二値化方法とに基づいて、読取開始指示入力後の画像読取方式及び二値化方法を制御することを特徴とする。
【０００９】
また、請求項４に係る発明は、請求項３に記載の画像通信装置において、上記制御手段が、読取開始指示入力後に上記表示手段に上記送信モード選択画面を表示することを特徴とする。
【００１０】
さらに、請求項５に係る発明は、請求項１に記載の画像通信装置において、上記画像読取手段が本スキャン前にプレスキャンを行い、上記プレスキャンによってカラー原稿か否かを判定し、カラー原稿であると判定された場合、上記制御手段が上記表示手段に上記送信モード選択画面を表示することを特徴とする。
【発明の効果】
【００１１】
請求項１に係る発明の画像通信装置によれば、カラー原稿をファクス送信する場合、表示手段にカラー画像に対する二値化方法を選択するための送信モード選択画面が表示され、この送信モード選択画面で選択された二値化方法により画像読取手段によって読み取った画像データが二値化されるので、ユーザは画質を優先するか、通信費を優先するかを容易に選択することができる。
【００１２】
また、請求項２に係る発明の画像通信装置によれば、画像読取手段により読み取った画像から送信原稿がカラー原稿であるか否かが頁単位で判定され、カラー原稿であると判定された頁について、送信モード選択画面が表示されるので、ユーザは単に原稿をセットするだけで、ファクス原稿にカラー原稿が含まれているか否かを容易に認識することができるとともに、カラー原稿が含まれている場合には、画質を優先するか、通信費を優先するかを選択することができる。
【００１３】
さらに、請求項３、４に係る発明の画像通信装置によれば、ファクス送信時、画像読取前にカラー指定を行えば、送信モード選択画面が表示されるので、ユーザは画質を優先するか、通信費を優先するかを簡単に選択することができるとともに、画像読取前に指定したカラー指定の有無と、画像読取前に選択した二値化方法とに基づいて、読取開始指示入力後の画像読取方式が制御されるので、原稿及び二値化方法に応じた最適な画像読取方式で原稿を読み取ることが可能となる。
【００１４】
また、請求項５に係る発明の画像通信装置によれば、本スキャン前のプレスキャンによってカラー原稿か否かが判定され、ファクス原稿がカラー原稿であった場合には、自動的に送信モード設定画面が表示されるので、ユーザは原稿がカラー原稿であることを認識するとともに、画質を優先するか、通信費を優先するかを容易に選択することができる。
【実施例】
【００１５】
以下、本発明の画像通信装置を一例として、カラーコピー機能、カラープリンタ機能、モノクロファクス機能を備えたデジタル複合機に適用した場合の実施例について、図面を用いて説明する。図１はデジタル複合機の制御系の構成を示す概略ブロック図であり、図に示すように、デジタル複合機はＣＰＵ１、ＲＯＭ（Read Only Memory）２、ＲＡＭ（Random Access Memory）３、表示・操作部４、カラースキャナ５、コーデック（ＪＰＥＧ用）６、画像メモリ７、画像処理部８、プリンタ９、コーデック１０、モデム１１、ネットワーク制御ユニットＮＣＵ１２及びＬＡＮインターフェース（Ｉ／Ｆ）１３から構成され、各部がバス１４を介して接続されている。
【００１６】
ＣＰＵ１はバス１４を介してデジタル複合機のハードウェア各部を制御するとともに、ＲＯＭ２に記憶されたプログラムに基づいて各種のプログラムを実行し、ＲＯＭ２はデジタル複合機の動作に必要な種々のプログラムや操作メッセージ等を予め記憶している。また、ＲＡＭ３はＳＲＡＭ等で構成され、プログラムの実行時に発生する一時的なデータを記憶するとともに、ファクシミリ送信画像を中間調モードで二値化するか否かを決定する中間調モードフラグを記憶する中間調モードフラグ記憶領域３ａを備えている。なお、この中間調モードフラグはデジタル複合機の電源投入時には、リセットされた状態となっている。
【００１７】
表示・操作部４は、デジタル複合機の動作状態を表示したり、種々の機能の操作画面の表示を行う表示部と、デジタル複合機を操作するための複数のキーよりなり、図２に示すように、表示部を構成するＬＣＤ表示部２１と多数の操作キーから構成されている。ＬＣＤ表示部２１には、タッチパネルスイッチが配設され、ＬＣＤ表示部２１に表示された項目部分を押下することで、対応する項目の選択や機能の実行を行うことができる。また、操作キーとして、テンキー２２、スタートキー２３、リセットキー２４、ストップキー２５、複数のワンタッチダイヤルキー２６、十字キー２７、リターンキー２８、セットキー２９、ファクス切替キー３０、コピー切替キー３１、スキャナ切替キー３２等の各種キーが設けられている。なお、ＬＣＤ表示部２１によりこれらの操作キーの一部又は全部を代用することも可能である。
【００１８】
カラースキャナ５はオートドキュメントフィーダー（ＡＤＦ）やフラットベッドスキャナ（ＦＢＳ）等の読取り用原稿載置台を備え、ＣＣＤを用いた原稿走査ユニットで原稿をスキャニングすることにより、Ｒ、Ｇ、Ｂの３色よりなる色成分のデジタル画像データ（８ビット）を生成する。このカラースキャナ５は入力補正回路、入力色変換回路、地色補正回路、拡大／縮小回路、ページメモリ５ａ等を備え、色変換処理によってＲＧＢ画像データをＹ、Ｃ、Ｃ（輝度、色度１及び色度２）の３成分の画像データや人間の視感度に等方的な表色系であるＬａｂに変換し、ページメモリ５ａに蓄積する。また、コーデック（ＪＰＥＧ用）６はページメモリ５ａに蓄積されたＹＣＣ多値データやＬａｂ多値データをＪＰＥＧ圧縮処理したり、圧縮処理データの復号処理を行う。
【００１９】
画像メモリ７は、ＤＲＡＭ等を用いて構成され、コーデック６、１０で圧縮された読み取り画像データ、送信すべき符号化データまたは受信した符号化データを記憶する。画像処理部８は、画像メモリ７に記憶されている圧縮処理された画像データがコーデック（ＪＰＥＧ用）６によって伸張されたデータに対して、出力色変換、２値化処理等を行うものであり、伸張処理されたＹＣＣデータやＬａｂデータを出力色変換によりＣＭＹＫ（C:Cyan、M:Magenta、Y:Yellow、K:Black）データに変換し、ディザ法や単純２値化により２値化処理を行う。また、この画像処理部８はモノクロスキャン時に、ＣＣＤからのＧ成分を２値化する処理も行う。プリンタ９は電子写真方式等のプリンタ装置を備え、受信したデータ、コピー原稿データあるいは外部のパーソナルコンピュータから送信されたプリントデータをプリントアウトする。
【００２０】
コーデック１０は、ＭＲ、ＭＨ、ＭＭＲ、ＪＢＩＧ等の方式によりデータを２値符号化したり、２値符号化データの復号処理を行うものである。モデム１１はバス１４に接続されており、ファクシミリ通信が可能なファクスモデムとしての機能を有し、このモデム１１は同様にバス１４に接続されたＮＣＵ１２と接続されている。ＮＣＵ１２はアナログ回線の閉結及び開放の動作を行うハードウェアであり、必要に応じてモデム１１を電話回線に接続する。
【００２１】
また、ＬＡＮインターフェース１３はＬＡＮ（Local Area Network）に接続され、外部のパーソナルコンピュータからの信号やデータをＬＡＮを介して受信する一方、ＬＡＮに対して信号やデータを送信するものであり、信号変換やプロトコル変換などのインターフェース処理を実行する。
【００２２】
デジタル複合機は上記のように構成されており、カラーコピーを行う場合は、カラースキャナ５がＣＣＤを用いた原稿走査ユニットで原稿をスキャニングすることにより、Ｒ、Ｇ、Ｂの３色よりなる色成分のデジタル画像データ（８ビット）を生成し、色変換処理によってこのＲＧＢ画像データをＬａｂ変換してページメモリ５ａに蓄積する。次に、ページメモリ５ａに蓄積されたＬａｂ多値データを読出し、コーデック（ＪＰＥＧ用）６によりＪＰＥＧ圧縮処理し、多値符号化データとして画像メモリ７に記憶する。この後、画像メモリ７から多値符号化データを読み出してコーデック（ＪＰＥＧ用）６により復号処理し、復号処理したＬａｂ多値データを再びページメモリ５ａに蓄積する。さらに、ページメモリ５ａからＬａｂ多値データを読み出し、画像処理部８によりＬａｂ／ＣＭＹＫ変換、ＣＭＹＫ２値化処理してプリンタ９に供給することにより、カラープリントが行われる。
【００２３】
また、モノクロコピーを行う場合は、カラースキャナ５がＣＣＤのＲ、Ｇ、Ｂのうち明度成分に最も多くの比重を占めるＧ成分のみを使用して画像を読み取ることによりモノクロスキャニングし、８ビットのＧ成分をページメモリ５ａに蓄積する。次に、ページメモリ５ａに蓄積された多値Ｇ成分データを読出し、画像処理部８によりＧ成分多値データを単純２値化した後、コーデック１０によりＭＲ、ＭＨ、ＭＭＲ、ＪＢＩＧ等の方式によって２値符号化し、画像メモリ７にＧ成分２値符号化データとして蓄積する。この後、画像メモリ７から読み出したＧ成分２値符号化データをコーデック１０により復号し、画像処理部８でＫ成分を生成してプリンタ９に供給することにより、モノクロプリントが行われる。
【００２４】
さらに、モノクロ読取画像データをモノクロＦＡＸ送信する場合は、カラースキャナ５が原稿をモノクロスキャニングし、８ビットのＧ成分をページメモリ５ａに蓄積する。次に、ページメモリ５ａに蓄積されたＧ成分多値データを読出し、画像処理部８により単純２値化した後、コーデック１０により２値符号化し、画像メモリ７に２値符号化データとして蓄積する。そして、全てのページの２値符号化データの画像メモリ７への蓄積が完了すると、送信先のダイヤル番号をモデム１１、ＮＣＵ１２を制御して公衆電話回線に送出させ、通信が確立すると、画像メモリ７から２値符号化データを読み出し、必要に応じて相手機の符号化方式に合わせて符号化し直し、モデム１１で変調した後、ＮＣＵ１２から公衆電話回線を通して通信相手先にモノクロＦＡＸ送信する。
【００２５】
次に、カラー原稿を含む原稿をモノクロＦＡＸ送信する場合の作用について、フローチャートを用いて詳細に説明する。
図３に示すフローチャートは１ページ毎にカラー／モノクロ判定を行い、全ページ読取終了後、１ページでもカラーページが含まれていれば、カラーページに対する２値化方法を選択するためのモード設定画面を表示する実施例の作用を示すものである。
【００２６】
表示・操作部４のファクスキー３０が押されると、ＣＰＵ１は表示部２１に送信条件設定画面を表示し（ステップ１０１）、ユーザはこの画面で電話番号等を入力することができる。次に、ＣＰＵ１はカラースキャナ５のＡＤＦに原稿がセットされたか否かを判別し（ステップ１０２）、原稿がセットされると、ＣＰＵ１はスタートキー２３が押下されたか否かを判別する（ステップ１０３）。
【００２７】
ユーザが電話番号等の送信条件を入力した後、スタートキー２３を押下すると、ＣＰＵ１はカラースキャナ５のＣＣＤにより原稿のカラー読取を行う（ステップ１０４）。すなわち、カラースキャナ５がＣＣＤを用いた原稿走査ユニットで原稿をスキャニングすることにより、Ｒ、Ｇ、Ｂの３色よりなる色成分のデジタル画像データ（８ビット）を生成し、色変換処理によってＲＧＢ画像データをＹＣＣ成分の画像データに変換し、ページメモリ５ａにＹＣＣ多値データとして蓄積する。この後、ページメモリ５ａに蓄積されたＹＣＣ多値データが読み出されてコーデック（ＪＰＥＧ用）６によりＪＰＥＧ圧縮処理され、圧縮処理された多値符号化データが画像メモリ７に蓄積される。
【００２８】
次に、ＣＰＵ１はカラー読取を行ったページの画像のカラー／モノクロ判定を行う（ステップ１０５）。このカラー／モノクロ判定は、例えば、そのページの画素のうち色相、彩度の含まれる画素が所定数あるか否かを判定することにより、あるいはそのページの各画素のＲ、Ｇ、Ｂの値の差が少ないか否かを判別することにより行うことが可能である。
【００２９】
この後、ＣＰＵ１はカラー／モノクロ判定の判定結果より、カラー読取を行ったページの画像がカラー画像か否かを判別し（ステップ１０６）、そのページの画像がカラー画像であった場合には、ＲＡＭ３の中間調モードフラグ記憶領域３ａに記憶されているページ番号に対応した中間調モードフラグをセットする（ステップ１０７）。
【００３０】
次に、ＣＰＵ１はＡＤＦにセットされた全ての原稿を読み取ったか否かを判別し（ステップ１０８）、まだ読み取っていない原稿がある場合には、ステップ１０４に戻り、次の原稿のカラー読取を行う。そして、ステップ１０８において、全ての原稿を読み取ったと判別した場合には、ＣＰＵ１はＲＡＭ３の中間調モードフラグ記憶領域３ａに記憶されている各ページ毎の中間調モードフラグをチェックすることにより、カラーページが１ページでも含まれていたか否かを判別する（ステップ１０９）。
【００３１】
カラーページが含まれていた場合には、ＣＰＵ１は図４に示す送信モード設定画面をＬＣＤ表示部２１に表示する（ステップ１１０）。図４に示すように、この画面でユーザはカラー原稿が中間調モードで２値化して送信されることを知ることができ、そのままでよい場合には、「Ｏ．Ｋ．」欄を押下し、通信費を安くする場合には、「文字モードに変更」欄を押下することにより、送信モードを変更することができる。なお、ＲＡＭ３の中間調モードフラグ記憶領域３ａに記憶されている各ページ毎の中間調モードフラグから、どのページがカラーページであったかが分かっているので、図４に示すように、画面の下部にカラー画像のページ番号を表示するようにすれば、ユーザはそのページの画像を見ることにより文字モードで送信するか、中間調モードで送信するかを容易に判断することが可能となる。
【００３２】
次に、ＣＰＵ１は「文字モードに変更」欄が押下されたか否かを判別し（ステップ１１１）、「文字モードに変更」欄が押下された場合には、ＲＡＭ３の中間調モードフラグ記憶領域３ａに記憶されている全てのページの中間調モードフラグを一括してリセットした（ステップ１１２）後、ステップ１１４に移る。
一方、ステップ１１１において、「文字モードに変更」欄が押下されていないと判別した場合には、ＣＰＵ１は「Ｏ．Ｋ．」欄が押下されたか否かを判別し（ステップ１１３）、「Ｏ．Ｋ．」欄が押下されていないと判別した場合には、ステップ１１１に戻り、ステップ１１３で「Ｏ．Ｋ．」欄が押下されたと判別した場合には、そのままステップ１１４に移る。
【００３３】
上記の送信モード設定が完了した場合、あるいはステップ１０９において、カラーページが１ページもないと判別された場合には、ＣＰＵ１は画像メモリ７から１ページのＪＰＥＧ圧縮データの読み出しを開始する（ステップ１１４）。次に、ＣＰＵ１はＲＡＭ３の中間調モードフラグ記憶領域３ａに記憶されている、そのページの中間調モードフラグがセットされているか否かを判別する（ステップ１１５）。
【００３４】
中間調モードフラグがセットされている場合には、ＣＰＵ１は画像メモリ７から読み出したそのページの画像データをディザ法により２値化する（ステップ１１６）。すなわち、ＣＰＵ１は画像メモリ７から読み出した多値符号化データをコーデック（ＪＰＥＧ用）６により再び各色８ビットに変換するＹＣＣ伸張処理を行った後、ページメモリ５ａに蓄積する。この後、ページメモリ５ａからＹＣＣデータのＹ成分データを読み出し、画像処理部８によってディザパターン化することにより画像データを２値化する。そして、ＣＰＵ１は、２値化した画像データをコーデック１０により２値符号化した（ステップ１１８）後、２値符号化データを画像メモリ７に蓄積する（ステップ１１９）。
【００３５】
一方、中間調モードフラグがリセットされている場合には、画像メモリ７から読み出した多値符号化データをコーデック（ＪＰＥＧ用）６により再び各色８ビットに変換するＹＣＣ伸張処理を行い、ページメモリ５ａに蓄積した後、ページメモリ５ａからＹＣＣデータのＹ成分データを読み出し、画像処理部８によって単純２値化することにより画像データを２値化する。そして、上記と同様に、ＣＰＵ１は２値化した画像データをコーデック１０により２値符号化した（ステップ１１８）後、２値符号化データを画像メモリ７に蓄積する（ステップ１１９）。
【００３６】
次に、ＣＰＵ１は全てのページの画像データを２値符号化して画像メモリ７に蓄積したか否かを判別し（ステップ１２０）、処理していないページが残っている場合にはステップ１１４に戻る。そして、全てのページの２値符号化データの画像メモリ７への蓄積が完了すると、ＣＰＵ１は送信条件設定画面で設定された送信先のダイヤル番号をモデム１１、ＮＣＵ１２を制御して公衆電話回線に送出させ、通信が確立すると、画像メモリ７から２値符号化データを読み出し、必要に応じて相手機の符号化方式に合わせて符号化し直し、モデム１１で変調した後、ＮＣＵ１２から公衆電話回線を通して通信相手先にモノクロＦＡＸ送信する（ステップ１２１）。
以上のように、ファクス原稿にカラー原稿が含まれている場合には、自動的にカラー画像に対する２値化方法を選択するための送信モード設定画面が表示されるので、ユーザは画質を優先するか、通信費を優先するかを容易に選択することができる。
【００３７】
なお、上記の実施例では、オートドキュメントフィーダー（ＡＤＦ）を使用して原稿の読取を行う場合について説明したが、フラットベッドスキャナ（ＦＢＳ）を使用して原稿の読取を行う場合においても、同様に１ページ毎にカラー／モノクロ判定を行い、１つの送信ジョブ中に少なくとも１つのカラーページを含む場合には、そのカラーページについての２値化方法を選択するための画面を表示するという制御を行うことも可能である。
【００３８】
また、上記の実施例では、全てのカラーページに対して２値化方法の選択を一括して行う例を説明したが、送信モード設定画面でカラーページの中の各ページについて個別に２値化方法を選択できるようにすることも可能である。このようにすれば、ユーザは、例えば、第１、３、５ページ目がカラーページであった場合、第１、３ページはディザ法により２値化し、第５ページは単純２値化するように選択することが可能となる。
【００３９】
上記のように図３の実施例では、原稿読取時に全てのページをカラー読み取りし、カラー原稿があるか否かを判定して送信モード設定画面を表示したが、原稿読取前にユーザに送信モードを設定させることも可能である。
以下、原稿読取前にユーザに送信モードを設定させる場合の作用について、図５のフローチャートにより説明する。
【００４０】
表示・操作部４のファクスキー３０が押されると、ＣＰＵ１は表示部２１に送信条件設定画面を表示する（ステップ２０１）。この画面でユーザは、電話番号の入力や、原稿にカラー原稿が含まれているか否かの指定を行うことができる。次に、ＣＰＵ１はカラースキャナ５のＡＤＦに原稿がセットされたか否かを判別し（ステップ２０２）、原稿がセットされると、ＣＰＵ１は送信条件設定画面でカラー指定があったか否かを判別する（ステップ２０３）。
【００４１】
カラー指定がなかった場合には、ＣＰＵ１はスタートキー２３が押下されたか否かを判別し（ステップ２０４）、スタートキー２３が押下されると、ＣＰＵ１はカラースキャナ５によるモノクロ原稿読取を開始し、Ｒ、Ｇ、ＢのうちＧ成分のみを使用して画像を読み取る（ステップ２０５）。次に、ＣＰＵ１は、読み取った画像データを画像処理部８によって全て単純２値化した（ステップ２０６）後、コーデック１０により２値符号化する（ステップ２０７）。そして、コーデック１０により２値符号化されたデータを画像メモリ７に蓄積する（ステップ２０８）。
【００４２】
そのページのデータの画像メモリ７への蓄積が完了すると、次に、ＣＰＵ１はＡＤＦにセットされた全ての原稿を読み取ったか否かを判別し（ステップ２０９）、まだ読み取っていない原稿がある場合には、ステップ２０５に戻り、次の原稿のモノクロ読取を行う。そして、全てのページの画像データの画像メモリ７への蓄積が完了すると、ＣＰＵ１は送信条件設定画面で設定された送信先のダイヤル番号をモデム１１、ＮＣＵ１２を制御して公衆電話回線に送出させ、通信が確立すると、画像メモリ７から２値符号化データを読み出し、必要に応じて相手機の符号化方式に合わせて符号化し直し、モデム１１で変調した後、ＮＣＵ１２から公衆電話回線を通して通信相手先にモノクロＦＡＸ送信する（ステップ２１０）。
【００４３】
一方、ステップ２０３において、カラー指定があった場合には、ＣＰＵ１は図６に示す送信モード設定画面を表示部２１に表示する（ステップ２１１）。図６に示すように、この画面でユーザはカラー原稿を中間調モードで２値化して送信するか、文字モードで２値化して送信するかを設定することができる。
【００４４】
次に、ＣＰＵ１は「文字モード」欄が押下されたか否かを判別し（ステップ２１２）、「文字モード」欄が押下されていないと判別した場合には、「中間調モード」欄が押下されたか否かを判別する（ステップ２１３）。「中間調モード」欄が押下されていないと判別した場合には、ステップ２１２に戻り、「中間調モード」欄が押下された場合には、ＲＡＭ３の中間調モードフラグ記憶領域３ａに記憶されている中間調モードフラグをセットする（ステップ２１４）。
【００４５】
そして、ステップ２１２において、「文字モード」欄が押下されたと判別した場合、あるいはステップ２１４での中間調モードフラグのセットが完了すると、次に、ＣＰＵ１は、スタートキー２３が押下されたか否かを判別し（ステップ２１５）、スタートキー２３が押下されると、ＣＰＵ１はＲＡＭ３の中間調モードフラグ記憶領域３ａに記憶されている中間調モードフラグがセットされているか否かを判別する（ステップ２１６）。中間調モードフラグがリセットされている場合には、ステップ２０５に移り、原稿のモノクロ読取を行って、ファクシミリ送信する。
【００４６】
一方、中間調モードフラグがセットされている場合には、ＣＰＵ１はカラースキャナ５のＣＣＤにより原稿のカラー読取を行う（ステップ２１７）。そして、ＣＰＵ１は、読み取った画像データをディザ法により２値化した（ステップ２１８）後、２値化した画像データをコーデック１０により２値符号化し（ステップ２１９）、２値符号化データを画像メモリ７に蓄積する（ステップ２２０）。
【００４７】
次に、ＣＰＵ１はＡＤＦにセットされている全ての原稿を読み取ったか否かを判別し（ステップ２２１）、原稿が残っている場合にはステップ２１７に戻る。そして、全てのページの２値符号化データの画像メモリ７への蓄積が完了すると、ＣＰＵ１は送信条件設定画面で設定された送信先のダイヤル番号をモデム１１、ＮＣＵ１２を制御して公衆電話回線に送出させ、通信が確立すると、画像メモリ７から２値符号化データを読み出し、必要に応じて相手機の符号化方式に合わせて符号化し直し、モデム１１で変調した後、ＮＣＵ１２から公衆電話回線を通して通信相手先にモノクロＦＡＸ送信する（ステップ２０８）。
以上のように、画像読取前に原稿にカラー原稿が含まれていることを指示した場合には、自動的にカラー画像に対する２値化方法を選択するための送信モード設定画面が表示されるので、ユーザは画質を優先するか、通信費を優先するかをこの時点で選択することができる。
【００４８】
なお、上記の実施例では、原稿読取前のユーザによる送信条件設定でカラー指定された場合であっても、文字モードが選択されたときには、原稿のカラー読取ではなく、モノクロ読取を行うようにしたが、カラー指定ありの場合には、文字モードが選択されたときにも、原稿のカラー読取を行って画像を単純２値化することも可能である。また、上記の実施例では、カラー指定及び２値化方法の選択を読取開始指示入力前に行うようにしたが、２値化方法の選択を読取開始指示入力後に行うようにすることもできる。
【００４９】
さらに、上記の実施例では、カラー指定なしの場合には、Ｇ成分のみを使ったモノクロ読取を行い、モノクロ読取の場合には、全て単純２値化によりデータを２値化したが、カラー指定なしの場合のモノクロ読取の場合に、送信条件設定画面において２値化方法を選択できるようにすることもできる。
【００５０】
また、上記の実施例では、１つの送信ジョブにおける全ページに対して一括してカラー指定を行う例について説明したが、１つの送信ジョブにおけるページ毎に画像読取前のカラー指定を行うようにすることも可能である。
例えば、ＡＤＦで読み取る場合、１つの原稿束の読取中に所定の操作を行うことにより、読取（原稿繰り込み）を一時的に停止することができる。この停止中に、カラー指定を行うとともに、モード設定画面にて２値化方法の選択を行った後、読取開始指示入力（スタートキー押下）を行うことにより、それ以降のページについては、変更後の設定内容にしたがって読取方式及び２値化方法を制御することが可能である。
また、ＦＢＳで読み取る場合には、１ページ毎に、原稿セット及び読取開始指示が必要であるので、ページ毎に画像読取前のカラー指定を行うことが可能である。
【００５１】
図５の実施例では、カラー指定、及びカラー指定がなされた場合の２値化方法の指定を原稿読取開始前に行うようにしたが、１つの送信ジョブにおける各ページに対してページ毎にカラー指定及びカラー原稿の２値化方法を指定するようにすることもでき、以下、１つの送信ジョブにおける各ページに対してページ毎にカラー指定及びカラー原稿の２値化方法を指定する場合の作用について、図７のフローチャートにより説明する。
【００５２】
表示・操作部４のファクスキー３０が押されると、ＣＰＵ１は表示部２１に送信条件設定画面を表示する（ステップ３０１）。この画面でユーザは、電話番号の入力や、原稿にカラー原稿が含まれているか否かの指定を行うことができるとともに、モノクロ指定の場合には、２値化方法を指定することができる。次に、ＣＰＵ１はカラースキャナ５のＦＢＳに原稿がセットされたか否かを判別し（ステップ３０２）、原稿がセットされると、ＣＰＵ１は送信条件設定画面でカラー指定があったか否かを判別する（ステップ３０３）。
【００５３】
カラー指定があった場合には、ＣＰＵ１はスタートキー２３が押下されたか否かを判別し（ステップ３０４）、スタートキー２３が押下されると、ＣＰＵ１は図６に示す送信モード設定画面を表示部２１に表示する（ステップ３０５）。図６に示すように、この画面でユーザはカラー原稿を中間調モードで２値化して送信するか、文字モードで２値化して送信するかを設定することができる。
【００５４】
次に、ＣＰＵ１は「中間調モード」欄が押下されたか否かを判別し（ステップ３０６）、「中間調モード」欄が押下された場合には、ＣＰＵ１はカラースキャナ５のＣＣＤにより原稿をカラー読取を行った（ステップ３０７）後、読み取った画像データをディザ法により２値化する（ステップ３０８）。そして、ＣＰＵ１は２値化した画像データをコーデック１０により２値符号化し（ステップ３０９）、２値符号化データを画像メモリ７に蓄積する（ステップ３１０）。
【００５５】
また、ステップ３０６において、「中間調モード」欄が押下されていないと判別した場合には、「文字モード」欄が押下されたか否かを判別する（ステップ３１１）。「文字モード」欄が押下されていないと判別した場合には、ステップ３０６に戻り、「文字モード」欄が押下された場合には、ＣＰＵ１はカラースキャナ５のＣＣＤにより原稿をＲＧＢ３成分によるカラー読取を行った（ステップ３１２）後、色変換処理によってＲＧＢ画像データをＹ、Ｃ、Ｃ（輝度、色度１及び色度２）の３成分の画像データに変換し、そのＹ成分を単純２値化することにより画像データを２値化する（ステップ３１３）。そして、上記と同様に、ＣＰＵ１は２値化した画像データをコーデック１０により２値符号化し（ステップ３０９）、２値符号化データを画像メモリ７に蓄積する（ステップ３１０）。
【００５６】
次に、ＣＰＵ１は原稿読取中に次原稿ありが指定されたか否かを判別し（ステップ３１４）、次原稿ありが指定された場合にはステップ３０１に戻り、次原稿のセット、送信条件の設定入力を待つ状態となる。ユーザが送信条件の設定及び原稿交換（次原稿セット）を行った後、読取開始指示入力を行うと、送信条件設定においてカラー指定があった場合には、モード設定画面が表示される。
【００５７】
また、ステップ３１４で原稿読取中に次原稿ありが指定されなかったと判別した場合には、ＣＰＵ１は送信条件設定画面で設定された送信先のダイヤル番号をモデム１１、ＮＣＵ１２を制御して公衆電話回線に送出させ、通信が確立すると、画像メモリ７から２値符号化データを読み出し、必要に応じて相手機の符号化方式に合わせて符号化し直し、モデム１１で変調した後、ＮＣＵ１２から公衆電話回線を通して通信相手先にモノクロＦＡＸ送信する（ステップ３１５）。
【００５８】
一方、ステップ３０３において、カラー指定がなかったと判別した場合には、ＣＰＵ１はスタートキー２３が押下されたか否かを判別し（ステップ３１６）、スタートキー２３が押下されると、ＣＰＵ１はカラースキャナ５によるモノクロ原稿読取を開始し、Ｒ、Ｇ、ＢのうちＧ成分のみを使用して画像を読み取る（ステップ３１７）。次に、ＣＰＵ１は読み取った画像データを送信条件設定画面で指定された２値化方法、例えば単純２値化またはディザ法により２値化した（ステップ３１８）後、ステップ３０９に移り、コーデック１０による２値符号化を行う。
【００５９】
以上のように、画像読取前にユーザがカラー指定を行うことが可能であり、また、カラー指定がなされた場合には、読取開始指示入力後（直後）において、２値化方法を選択するための画面が表示されるので、ユーザは原稿１枚ごとに、画質を優先するか、通信費を優先するかを簡単に設定することができ、また、モノクロ原稿の場合にも２値化方法を指定することができる。
なお、上記の実施例では、カラー指定を読取開始指示入力前に行い、２値化方法の選択を読取開始指示入力後に行うようにしたが、２値化方法の選択を読取開始指示入力前に行うようにすることもできる。
【００６０】
また、上記の実施例では、カラー指定ありの場合において、文字モードが選択されたときには、カラー読取（ＲＧＢ３成分による読取）を行い、ＹＣＣ変換した後、そのＹ成分を単純２値化したが、カラー指定ありの場合において、文字モードが選択されたときに、モノクロ読取を行って単純２値化することも可能である。
【００６１】
さらに、上記の実施例では、ＦＢＳを使用した例を説明したが、ＡＤＦの場合にも、原稿読み取り中に次原稿ありを指定することにより、送信条件を設定し直して後続のページを読み取ることができるので、図７のフローチャートはＡＤＦを使用した場合にも適用することが可能である。
【００６２】
図３の実施例では、原稿読取時に全てのページをカラー読み取りし、カラー原稿があるか否かを判定したが、ＦＢＳにセットされた原稿をプレスキャンすることによりＦＢＳにセットされた原稿がカラー原稿か否かを判定し、カラー原稿の場合にカラー画像に対する２値化方法を選択するための送信モード設定画面を表示することも可能である。
以下、プレスキャンによりＦＢＳにセットされた原稿がカラー原稿か否かを判定してファクス送信を行う場合の作用について、図８のフローチャートにより説明する。
【００６３】
表示・操作部４のファクスキー３０が押されると、ＣＰＵ１は表示部２１に送信条件設定画面を表示する（ステップ４０１）。この画面でユーザは、電話番号等を設定することができる。次に、ＣＰＵ１はカラースキャナ５のＦＢＳに原稿がセットされたか否かを判別し（ステップ４０２）、原稿がセットされると、ＣＰＵ１はスタートキー２３が押下されたか否かを判別する（ステップ４０３）。スタートキー２３が押下されると、ＣＰＵ１はカラースキャナ５によるプレスキャンを行い、原稿の大まかなカラー読み取りを行った（ステップ４０４）後、読み取ったページの画像データがカラー画像か否かを判定する（ステップ４０５）。
【００６４】
原稿の画像がカラー画像であると判定した場合には、ＣＰＵ１は図９に示すカラー画像に対する２値化方法を選択するための送信モード設定画面を表示する（ステップ４０６）。図９に示すように、この画面でユーザはＦＢＳにセットした原稿がカラー原稿であって、その画像が中間調モードで２値化して送信されることを知ることができ、そのままでよい場合には、「Ｏ．Ｋ．」欄を押下し、通信費を安くする場合には、「文字モードに変更」欄を押下することにより、送信モードを変更することができる。
【００６５】
次に、ＣＰＵ１は「文字モードに変更」欄が押下されたか否かを判別し（ステップ４０７）、「文字モードに変更」欄が押下された場合には、ＣＰＵ１はカラースキャナ５によるモノクロ本スキャンを開始し、Ｒ、Ｇ、ＢのうちＧ成分のみを使用して画像を読み取り（ステップ４０８）、読み取った画像データを画像処理部８によって全て単純２値化する（ステップ４０９）。そして、ＣＰＵ１は２値化したデータをコーデック１０により２値符号化し（ステップ４１０）、２値符号化データを画像メモリ７に蓄積する（ステップ４１１）。
【００６６】
また、ステップ４０７において、「文字モード」欄が押下されていないと判別した場合には、「Ｏ．Ｋ．」欄が押下されたか否かを判別する（ステップ４１２）。「Ｏ．Ｋ．」欄が押下されていないと判別した場合には、ステップ４０７に戻り、「Ｏ．Ｋ．」欄が押下された場合には、ＣＰＵ１はカラースキャナ５のＣＣＤにより原稿をＲＧＢ３成分によるカラー本スキャンを行った（ステップ４１３）後、画像データを画像処理部８によってディザ法により２値化する（ステップ４１４）。そして、上記と同様に、ＣＰＵ１は、２値化したデータをコーデック１０により２値符号化し（ステップ４１０）、２値符号化データを画像メモリ７に蓄積する（ステップ４１１）。
【００６７】
次に、ＣＰＵ１は原稿読取中に次原稿ありが指定されたか否かを判別し（ステップ４１５）、次原稿ありが指定された場合にはステップ４０１に戻り、次原稿のセット、送信条件の設定入力を待つ状態となる。ユーザが送信条件の設定及び原稿交換（次原稿セット）を行った後、読取開始指示入力を行うと、再び原稿のプレスキャンが行われる。
一方、ステップ４０５で、プレスキャンしたページの画像データがカラー画像でないと判定した場合には、ステップ４０８に移り、原稿のモノクロ本スキャンが行われる。
【００６８】
そして、ステップ４１５で原稿読取中に次原稿ありが指定されなかったと判別した場合には、ＣＰＵ１は送信条件設定画面で設定された送信先のダイヤル番号をモデム１１、ＮＣＵ１２を制御して公衆電話回線に送出させ、通信が確立すると、画像メモリ７から２値符号化データを読み出し、必要に応じて相手機の符号化方式に合わせて符号化し直し、モデム１１で変調した後、ＮＣＵ１２から公衆電話回線を通して通信相手先にモノクロＦＡＸ送信する（ステップ４１６）。
以上のように、原稿をＦＢＳにセットすれば、原稿がカラー原稿か否かが判別され、カラー原稿であった場合には、自動的にカラー画像に対する２値化方法を選択するための送信モード設定画面が表示されるので、ユーザは画質を優先するか、通信費を優先するかを簡単に選択することができる。
【００６９】
なお、上記の実施例では、プレスキャンによりカラー原稿であると判定した場合でも、文字モードが選択された場合には、カラー本スキャンでなく、モノクロ本スキャン（Ｇ成分による読取）を行うようにしたが、プレスキャンによりカラー原稿であると判定した場合、文字モードが選択されたときでも、カラー本スキャンを行ってＹＣＣ変換を行い、Ｙ成分について単純２値化することも可能である。
【００７０】
また、以上のすべての実施例では、中間調モードでの２値化処理方法として、ディザ法を使用したが、入力画像を２値化した際に、原画素との間に発生する濃度差（２値化誤差）を周辺の画素に拡散する誤差拡散法を使用することも可能である。
【図面の簡単な説明】
【００７１】
【図１】本発明の画像通信装置を実施したデジタル複合機の概略ブロック図である。
【図２】デジタル複合機の操作パネルを示す図である。
【図３】カラー原稿を含む原稿をファクシミリ送信する場合の作用を示すフローチャートである。
【図４】送信モード設定画面を示す図である。
【図５】カラー指定、及びカラー指定がなされた場合の２値化方法の指定を原稿読取開始前に行う場合の作用を示すフローチャートである。
【図６】送信モード設定画面の他の例を示す図である。
【図７】１つの送信ジョブにおける各ページに対してページ毎にカラー指定及びカラーページの２値化方法を指定する場合の作用を示すフローチャートである。
【図８】プレスキャンによりＦＢＳにセットされた原稿がカラー原稿か否かを判定する場合の作用を示すフローチャートである。
【図９】送信モード設定画面のさらに他の例を示す図である。
【符号の説明】
【００７２】
１  ＣＰＵ
２  ＲＯＭ
３  ＲＡＭ
４  表示・操作部
５  カラースキャナ
５ａ  ページメモリ
６  コーデック（ＪＰＥＧ用）
７  画像メモリ
８  画像処理部
９  プリンタ
１０  コーデック
１１  モデム
１２  ＮＣＵ
１３  ＬＡＮ  Ｉ／Ｆ
１４  バス
２１  ＬＣＤ表示部
２３  スタートキー
３０  ファクス切替キー
【図１】
2005347909.tif 000003
【図２】
2005347909.tif 000004
【図３】
2005347909.tif 000005
【図４】
2005347909.tif 000006
【図５】
2005347909.tif 000007
【図６】
2005347909.tif 000008
【図７】
2005347909.tif 000009
【図８】
2005347909.tif 000010
【図９】
2005347909.tif 000011